(57)【要約】【課題】  ゴルフボールを打ったときの衝撃を吸収して破損や紛失を防ぎ、積み重なったコイルバネの接触面積が広いため、左右にずれにくくて、支持されるゴルフボールの位置ずれを防ぐことができ、すっきりした外観のゴルフティを提供すること。【解決手段】  下端が先鋭状に形成された差込部１と、頂部に設けられたボール載置部２とをコイルバネ３で連結して成り、コイルバネ３は角形断面を有し、コイルバネ３の上下に積み重なった各段どうしが面接触している。【選択図】          図２
2005296330.tif 000002
【特許請求の範囲】
【請求項１】
下端が先鋭状に形成された差込部と、頂部に設けられたボール載置部とをコイルバネで連結して成り、前記コイルバネは角形断面を有し、該コイルバネの上下に積み重なった各段どうしが面接触していることを特徴としたゴルフティ。
【請求項２】
前記差込部の上端部に、上端面が開口した筒状頭部を形成し、前記ボール載置部の下端部に、下端面が開口した筒状支持部を形成し、前記コイルバネの両端部を、それぞれ前記筒状頭部及び筒状支持部に挿入して固定した請求項１に記載のゴルフティ。
【発明の詳細な説明】
【技術分野】
【０００１】
本発明は、ゴルフティに関する。
【背景技術】
【０００２】
一般的に使用されていたゴルフティは、木、プラスチック等を素材として、先細の差込部とボール支持台とが一体に形成されていた。
このようなゴルフティは、硬質素材を用いているため、ゴルフクラブでゴルフボールを打った時に、クラブヘッドが当たった衝撃で変形したり、折れたり、或いは、遠くへはじき飛ばされて紛失することが多い。
【０００３】
そこで、従来、クラブヘッドが衝突した衝撃を吸収し、破損や紛失を防ぐことができるゴルフティとして、１本の鋼鉄線をコイルバネ状に折り曲げて、皿状の載置部と、胴部と、埋設部とを連続して形成したスプリング式ゴルフティが提案されている（特許文献１参照）。
しかし、通常の鋼鉄線は断面が円形であるため、上下に重なったスプリングの各段が互いに線接触し、接触面積が非常に小さいので、不安定で左右にずれやすく、このため、ゴルフボールが位置ずれしやすい。また、地面に差し込む時及び引き抜く時にコイルバネを持つことになるので、外力によってコイルバネが変形しやすいという欠点がある。
【０００４】
さらに、埋設部とボール支持部とをコイルバネ連結すると共に、埋設部とボール支持部とを凹凸嵌合したゴルフティが知られている（特許文献２及び特許文献３参照）。
このゴルフティでは、埋設部とボール支持部とが凹凸嵌合によって正確な位置に位置決めされているので、ゴルフボールが安定して支持され、位置ずれしにくい。
しかし、ゴルフボールを打って、ボール支持部が埋設部から外れると、その都度、人手によってボール支持部と埋設部とを嵌合し直さなければならず、この作業が非常に面倒である。
【０００５】
【特許文献１】実開昭５９−１６４６６９号公報
【特許文献２】実公昭６０−３１７４８号公報
【特許文献３】実公昭６２−３２０６５号公報
【発明の開示】
【発明が解決しようとする課題】
【０００６】
本発明が解決しようとする課題は、ゴルフボールを打ったときの衝撃を吸収して、破損や紛失を防ぎ、打撃後はボール載置部が差込部に対して自動的に元の位置に復帰し、積み重なったコイルバネの各段どうしの接触面積が広いため、左右にずれにくくて、ゴルフボールの位置ずれを防ぐことができ、すっきりした外観のゴルフティを提供することにある。
【課題を解決するための手段】
【０００７】
本発明のゴルフティは、下端が先鋭状に形成された差込部と、頂部に設けられたボール載置部とをコイルバネで連結して成り、前記コイルバネは角形断面を有し、コイルバネの上下に積み重なった各段どうしが面接触している。
前記差込部の上端部に、上端面が開口した筒状頭部を形成し、前記ボール載置部の下端部に、下端面が開口した筒状支持部を形成し、前記コイルバネの両端部を、それぞれ前記筒状頭部及び筒状支持部に挿入して固定しても良い。
【発明の効果】
【０００８】
請求項１に係る発明によれば、ボール載置部に載置されたゴルフボールをゴルフクラブで打つと、コイルバネが撓んでその衝撃を吸収するので、破損したり遠くへ飛んで紛失するのを防ぐことができ、ゴルフボールを打った衝撃でボール載置部の位置がずれても、コイルバネの復元力で、自動的に元の位置に復帰する。
また、コイルバネの積み重なった各段は面接触しているので、接触面積が広くて左右に位置ずれしにくく、この結果、ゴルフボールを正しい位置に安定して支持することができる。
さらに、コイルバネは、断面円形のコードを巻いたものに比べて、外面の凹凸が少なく平滑になるため、外観がすっきりする。
【０００９】
請求項２に係る発明によれば、衝撃吸収力の高い比較的長いコイルバネで差込部とボール載置部とを連結しても、左右にぐらつきにくいため、いっそう安定してゴルフボールを支持することが可能となる。
また、常態においては、差込部を地面に差し込んだり引き抜く際に、筒状頭部を持つことができ、コイルバネに外力が加わらないので、正確な方向に差し込むことができると共に、長期間使用してもコイルバネが変形しにくい。
【発明を実施するための最良の形態】
【００１０】
以下、本発明の実施例を図面に基づいて詳細に説明する。
図１及び図２に示すように、本発明のゴルフティは、差込部１とボール載置部２とをコイルバネ３で連結して成る。
差込部１は、合成樹脂、金属等を素材とし、下端が先鋭状のピン体４と、ピン体４の上端に一体に形成された筒状頭部５とを備える。筒状頭部５は、ピン体４より径大で、上端面が開口した円筒体より成り、ピン体４と中心軸を共有するよう形成されている。
また、筒状頭部５の上面（開口底面）中心から上方に向かって、中心軸に沿う下部突起１１が一体に突設されている。
【００１１】
ボール載置部２は、合成樹脂、金属等を素材とし、筒状支持部６と、ボール支持台７とを備える。
筒状支持部６は、筒状頭部５と同径で下端面が開口した円筒体より成り、その下面（開口天面）中心から下方に向かって、中心軸に沿う上部突起８が一体に形成されている。
ボール支持台７は、ボール載置部２と一体に形成され、環状部９の上端縁に多数の支持片１０を設けて成る。
支持片１０は、上部が径方向外方へ傾斜しており、上部が下部よりやや細く形成され、環状部９の周方向に等間隔で立設されている。即ち、環状に配置された支持片１０によって、上方へラッパ状に開いたボール受け部分が形成される。
【００１２】
コイルバネ３は、合成樹脂製で断面角形のコードを螺旋状に巻いたものであり、その外径は筒状頭部５及び筒状支持部６の内径よりもやや小さく形成されている。
また、コイルバネ３は角形断面を有するので、コイルバネ３の上下に積み重なった各段どうしは、広い面積で面接触している。従って、コイルバネ３の外面は、円形断面のコードを巻いたコイルバネに比べて平滑になり、外観がすっきりする。
さらに、コイルバネ３の両端部は、それぞれ筒状頭部５及び筒状支持部６内へ挿入されて、下部突起１１及び上部突起８の外周に嵌合されて固定されている。
【００１３】
このゴルフティを使用する際は、筒状頭部５を持って差込部１を地面へ差し込み、ボール載置部２の上にゴルフボールを載せる。ボール載置部２上に支持されたゴルフボールをゴルフクラブで打つと、ゴルフクラブが当たった衝撃でコイルバネ３が撓み、ボール載置部２が移動する。
しかし、外力が消失すると、コイルバネ３の復元力によってボール載置部２は、自動的に差込部１の直上である元の位置に復帰する。
また、ゴルフティを引き抜く際も、筒状頭部５を持てば、コイルバネ３に外力が加わることはない。
【図面の簡単な説明】
【００１４】
【図１】本発明の実施例を示すゴルフティの側面図。
【図２】本発明の実施例を示すゴルフティの要部断面図。
【符号の説明】
【００１５】
１  差込部
２  ボール載置部
３  コイルバネ
４  ピン体
５  筒状頭部
６  筒状支持部
７  ボール支持台
８  上部突起
９  環状部
１０  支持片
１１  下部突起
【図１】
2005296330.tif 000003
【図２】
2005296330.tif 000004